(57)【特許請求の範囲】
【請求項１】
洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄水が流入する流入部と、複数個の流出部を有するケーシングと、前記洗浄手段と前記流出部を接続する複数個の洗浄経路と、洗浄水を通過させる開口部を設けた弁体と、前記弁体と前記ケーシングに各々設けた係合部とを有し、前記弁体は、前記洗浄ポンプの断続運転により前記流出部に対して進退動作するように設けられ、前記弁体の進退動作で前記弁体と前記ケーシングの係合部が係合することにより前記弁体が回転動作して前記弁体の開口部と洗浄水を供給する流出部の一致部を順次切換えるとともに、前記複数個の流出部のうち少なくとも１個の流出部は複数に分岐され、前記分岐された流出部以外の他の流出部と前記分岐された１個の流出部は同一の洗浄手段に接続され、前記弁体の開口部は、流出部の複数個を同時に開口して複数個の洗浄手段から同時に洗浄水を噴射させる場合と、単独の洗浄手段から洗浄水を噴射させる場合とを、前記洗浄ポンプの断続運転により切換可能に構成し、前記弁体が一周する前記分水手段の切換えの１サイクル中に、特定の洗浄手段から洗浄水が噴射される回数を他の洗浄手段よりも多くした食器洗い機。
【発明の詳細な説明】
【技術分野】
【０００１】
本発明は、食器に洗浄水を噴射して洗浄する食器洗い機に関するものである。
【背景技術】
【０００２】
従来、この種の食器洗い機は、図２３および図２４に示すような構成であった（例えば、特許文献１参照）。以下、その構成について説明する。
【０００３】
図２３に示すように、洗浄水を加圧する洗浄ポンプ１と、洗浄水を噴射する噴射口を有する複数個の洗浄手段２と、洗浄ポンプ１からの洗浄水が供給される洗浄手段２を切換える分水手段３とを備え、分水手段３は、図２４のように構成され、回転分水部４を駆動用モータ５で回転させ、回転分水部４の吐出口６から吐出される洗浄水を洗浄手段２に順次供給し、噴射するようになっていた。
【０００４】
また、回転分水部４の吐出口６を２個設けた場合には、２個の洗浄手段から同時に噴射し、順次２個ずつ噴射するようになっていた。
【０００５】
これにより、給水量（循環水量）を増やすことなく洗浄手段２の数を増やすことができ、被洗浄物に対してより多方向から洗浄水を噴射できることから、高効率な洗浄が行え、運転時間の短縮や、省エネ、節水が図れるようになっていた。
【０００６】
１個の洗浄手段からのみ噴射する場合には、高圧かつ高流量で集中的な洗浄ができ、また、２個同時に噴射する場合には、一回で広範囲に噴射でき、噴射回数も多くなることから大流量での洗浄ができるという利点があり、それぞれ洗浄性能の向上に寄与していた。
【特許文献１】特開２００１−２１８７２１号公報
【発明の開示】
【発明が解決しようとする課題】
【０００７】
しかしながら、従来の食器洗い機では、１個の洗浄手段から噴射する場合には、常に１個ずつの噴射であり、また、２個噴射の場合には、常に２個の洗浄手段からの噴射であり、いずれか一方のパターンでしか噴射できなかった。食器洗い機で、汚れた食器類を洗浄する場合、食器に付着している汚れを剥離して洗い落とす作用と、一度剥離した汚れが再び食器に付着した再付着粒子などを洗い流す作用の両方が必要である。高圧の噴射だと汚れを剥離する能力は高いが、流量が少なくなるため洗い流す作用は小さい。逆に大流量で広範囲に噴射すると、洗い流す作用は得られるが、こびり付き等を剥離する力は小さい。従来の噴射パターンでは、いずれかの一方の洗浄が主体であり、最適な洗浄ができず、洗浄時間が長くなる等の課題を有していた。
【０００８】
また、食器類の汚れは様々であり、その材質や、大きさ、付着の強弱などが異なる。ご飯粒がこびり付いた茶碗等は高圧での洗浄が適しており、皿類は表面積が広く、付着粒子が比較的多いため、大量の洗浄水で洗い流すことが望ましい。このため、従来の洗浄方法では、洗浄槽全体が同一の洗浄条件であるため、食器配置に応じた最適な洗浄ができていなかった。
【課題を解決するための手段】
【０００９】
前記従来の課題を解決するために、本発明の食器洗い機は、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄水が流入する流入部と、複数個の流出部を有するケーシングと、前記洗浄手段と前記流出部を接続する複数個の洗浄経路と、洗浄水を通過させる開口部を設けた弁体と、前記弁体と前記ケーシングに各々設けた係合部とを有し、前記弁体は、前記洗浄ポンプの断続運転により前記流出部に対して進退動作するように設けられ、前記弁体の進退動作で前記弁体と前記ケーシングの係合部が係合することにより前記弁体が回転動作して前記弁体の開口部と洗浄水を供給する流出部の一致部を順次切換えるとともに、前記流出部は前記洗浄手段と洗浄経路で接続され、前記複数個の流出部のうち少なくとも１個の流出部は複数に分岐され、前記分岐された流出部以外の他の流出部と前記分岐された１個の流出部は同一の洗浄手段に接続され、前記弁体の開口部は、流出部の複数個を同時に開口して複数個の洗浄手段から同時に洗浄水を噴射させる場合と、単独の洗浄手段から洗浄水を噴射させる場合とを、前
記洗浄ポンプの断続運転により切換可能に構成し、前記弁体が一周する前記分水手段の切換えの１サイクル中に、特定の洗浄手段から洗浄水が噴射される回数を他の洗浄手段よりも多くしたものである。
【００１０】
これにより、特定の洗浄手段からの噴射回数を増やし、部分的に強力な洗浄を行ったり、広範囲に噴射することで、高い噴射圧での強力な洗浄と、大流量で広範囲に洗い流す洗浄とを組み合わせることができる。
【発明の効果】
【００１１】
本発明の食器洗い機は、食器の配置や汚れに応じた高効率な洗浄を行うことができる。
【発明を実施するための最良の形態】
【００１２】
第１の発明は、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄水が流入する流入部と、複数個の流出部を有するケーシングと、前記洗浄手段と前記流出部を接続する複数個の洗浄経路と、洗浄水を通過させる開口部を設けた弁体と、前記弁体と前記ケーシングに各々設けた係合部とを有し、前記弁体は、前記洗浄ポンプの断続運転により前記流出部に対して進退動作するように設けられ、前記弁体の進退動作で前記弁体と前記ケーシングの係合部が係合することにより前記弁体が回転動作して前記弁体の開口部と洗浄水を供給する流出部の一致部を順次切換えるとともに、前記流出部は前記洗浄手段と洗浄経路で接続され、前記複数個の流出部のうち少なくとも１個の流出部は複数に分岐され、前記分岐された流出部以外の他の流出部と前記分岐された１個の流出部は同一の洗浄手段に接続され、前記弁体の開口部は、流出部の複数個を同時に開口して複数個の洗浄手段から同時に洗浄水を噴射させる場合と、単独の洗浄手段から洗浄水を噴射させる場合とを、前記洗浄ポンプの断続運転により切換可能に構成し、前記弁体が一周する前記分水手段の切換えの１サイクル中に、特定の洗浄手段から洗浄水が噴射される回数を他の洗浄手段よりも多くしたものである。
【００１３】
全ての洗浄手段から同時に噴射するのではなく、洗浄手段を順次切換えて噴射することで、少ない循環水量で、被洗浄物に対してより多方向から洗浄水を噴射でき、高効率な洗浄が行え、運転時間の短縮等が図れる。
【００１４】
また、特定の洗浄手段からの噴射回数を増やすことにより特定の部位の洗浄力を高めることができるとともに、複数の洗浄手段から広範囲に洗い流すこともでき、前記特定の洗浄手段からの強力な洗浄と複数個の洗浄手段から広範囲に洗い流す洗浄とを組み合わせることによって、食器の配置や汚れに応じた高効率な洗浄を行うことができ、洗浄効率が向上し、さらなる運転時間の短縮等が図れる。
【００１５】
さらに、弁体が一周する分水手段の切換えの１サイクル中に、特定の洗浄手段からの強力な洗浄と複数個の洗浄手段から広範囲に洗い流す洗浄とを順次繰り返しつつ、特定の洗浄手段からの高圧な単独噴射が行え、より高い洗浄性能を実現できる。
【００１６】
以下、本発明の実施の形態について、図面を参照しながら説明する。なお、本実施の形態によって本発明が限定されるものではない。
【００１７】
（実施の形態１）
図１〜図５に示すように、食器洗い機本体２０には、扉２１で開閉可能な洗浄槽２２を設け、食器等の被洗浄物２３は食器かご２４にセットされ、洗浄槽２２内に収容している。２６は給水弁（図示せず）を介して供給された洗浄槽２２の洗浄水を加圧する洗浄ポンプで、複数の噴射孔を設けた洗浄ノズル（洗浄手段）２７に洗浄水を供給し、洗浄手段２
７より洗浄水を噴射する。洗浄手段２７は、食器かご２４の下方から噴射する２７ａ、２７ｂと、背面より噴射する２７ｃの３ヶ所に設置しており、洗浄手段２７ａと２７ｂは噴流によって軸まわりに回転する回転ノズル、洗浄手段２７ｃは移動しない固定ノズルとし、各々の洗浄手段２７には洗浄水を噴射する噴射口を４〜１０個程度備えている。
【００１８】
洗浄槽２２の底部には、洗浄ポンプ２６の吸い込み側へ連通した排水口２８を有し、この排水口２８には残さいを収集する残さいフィルタ２９と加熱用の発熱体３０を設け、洗浄槽２２の温度を検知する温度センサ３１を設けている。排水ポンプ３２は洗浄槽２２内の洗浄水を排出するものである。送風機３３（図示せず）は、送風経路３４（図示せず）を通して洗浄槽２２に空気を送り、その排気を排気口３５より排出するようにしている。
【００１９】
洗浄ポンプ２６の吐出経路３６には、洗浄水を供給する洗浄手段２７を選択的に切換える分水手段３７を設置しており、この分水手段３７は、図３および図４に示す構造をしている。洗浄ポンプ２６で加圧された洗浄水が流入する流入部３８と、４個の流出部３９を有するケーシング４０と、ケーシング４０内に移動可能に設けた弁体４１とで構成され、弁体４１には洗浄水を通過させる開口部４２を設けている。そして、弁体４１の上昇時に弁体４１を所定角度だけ回転させる一組の上部係合部４４と、弁体４１の降下時に弁体４１を所定角度だけ回転させる一組の下部係合部４５とを、ケーシング４０側と弁体４１側に各々設置している。
【００２０】
ここで、一般的な家庭用の食器洗い機の好適例として、弁体４１は９０度ずつ回転する構成であり、４ヶ所に洗浄水を分岐可能である。また、洗浄手段２７は３ヶ所設置していることから、洗浄手段２７の数は２以上であって、分水手段３７によって切換えられる分岐の数よりも例えば１または２少なくなるように設定している。
【００２１】
図５は、弁体４１の下側から見た図であり、流出部３９は各々洗浄経路４３で洗浄手段２７に接続されているが、このうち流出部３９ａと３９ｃに接続された洗浄経路４３は連結され、共に洗浄手段２７ａに接続されている。
【００２２】
なお、１個の洗浄手段２７とは、１個の流出部３９を通過した洗浄水が噴射される噴射口の集合体を指し、回転ノズルや固定ノズルが各１個の場合に限らず、回転ノズルが複数個あったり、回転ノズルと固定ノズルの組み合わせであったり、あるいは、噴射口の場所が離れている場合など種々の構成が考えられるが、いずれの場合も１個の洗浄手段２７であることに違いはない。
【００２３】
なお、図３等は分水手段３７の概念的な図であり、実際には、ケーシング４０は上下に２分割して、ビス止めや嵌め込み、溶着や溶接等で結合された構造となる。また、洗浄槽２２が樹脂製の場合など、この洗浄槽２２の底面と一体でケーシング４０の一部を構成することも可能である。
【００２４】
上記構成において、まず、食器洗い機の基本動作について説明する。食器等の被洗浄物２３を食器かご２４にセットして洗浄槽２２に収納し、洗剤を投入した後、扉２１により食器洗浄機本体２０の開口部を閉塞し、運転を開始する。被洗浄物２３の汚れを落とす洗浄工程、付着した洗剤や残菜を流すすすぎ工程、そして被洗浄物２３に付着している水適を乾燥させる乾燥工程の順に実行する。
【００２５】
まず、給水弁を動作して所定量の洗浄水を洗浄槽２２に給水し、続いて洗浄ポンプ２６により洗浄水を加圧し、洗浄手段２７から洗浄水を噴射する。この際、洗浄槽２２内に設けたシーズヒータ等の発熱体３０に通電しており、洗浄水を加温しながら洗浄工程は行われる。また、温度センサ３１は洗浄槽２２の温度を検知しており、所定温度以上になると
発熱体３０への通電を停止する。
【００２６】
洗浄水は、残さいフィルタ２９を通過して洗浄ポンプ２６に吸い込まれ、洗浄ポンプ２６より洗浄槽２２に設けた洗浄手段２７に供給されて、洗浄槽２２内に噴射され、被洗浄物２３を洗浄した後、再び排水口２８に戻るという経路で循環する。この際、被洗浄物２３から脱落した残さい等は、洗浄水とともに残さいフィルタ２９に流入し、残さいフィルタ２９を通過できない大きさの残さいは残さいフィルタ２９に捕集される。
【００２７】
所定時間の洗浄工程を終えると、汚れを含む洗浄水は排水ポンプ３２により機外に排出され、新たに洗浄水が供給される。洗浄ポンプ２６を運転し、洗浄ノズル２７から再び洗浄水を噴射して、洗剤や残菜等の付着した被洗浄物２３のすすぎを行う。所定時間運転した後、洗浄水を排出し、再び洗浄水を供給するという動作を繰り返し、このすすぎ工程は連続して３回程度行う。最後に、洗浄水を機外に排出して、すすぎ工程は終了する。
【００２８】
続いて乾燥工程を行い、送風機を動作させることにより、送風経路を通って外気が洗浄槽２２内に送風され、排気口３５から排出される。この際、発熱体３０には通電されており、送風と温度の両方の効果によって被洗浄物２３に付着した水滴の蒸発は促進される。所定時間これらの乾燥工程を行い、運転を終了する。
【００２９】
次に、本実施の形態の特徴的な構成である分水手段３７の動作、作用について説明する。図３および図４に示すように、ケーシング４０は略円筒形であり、その軸方向が略鉛直方向に配置されており、洗浄ポンプ２６で加圧された洗浄水が流入する流入部３８はケーシング４０の下端部に、流出部３９はケーシング４０の上面に設置している。弁体４１は略平面形状をしており、流出部３９と弁体４１との相対する面も平面形状としている。
【００３０】
洗浄ポンプ２６を運転した場合、流入部３８より流入した洗浄水の圧力によって弁体４１は、上部係合部４４の傾斜に従って、略直動および回転を伴った動作で上昇し、図３に示すように、所定の流出部３９が開口するような位置で固定され、この流出部３９と連通した洗浄手段２７から洗浄水が噴射される。弁体４１の下側から見ると、図５のように、弁体４１を洗浄水が通過する位置に設けた開口部４２が、所定の流出部３９と一致するように、上部係合部４４を設定している（断面図では係合部の詳細は図示しておらず、図７を参照のこと）。
【００３１】
続いて、洗浄ポンプ２６を一旦停止すると、弁体４１を下方から押し上げていた圧力が作用しなくなることから、弁体４１はその自重で降下するが、この際、下部係合部４５の傾斜に従って回転しながら降下し、図６に示すように所定位置で停止する。
【００３２】
再び、洗浄ポンプ２６を運転すると、上部係合部４４の次の傾斜に係合され、弁体４１は回転しながら上昇し、次の所定位置で停止し、次の洗浄手段２７から洗浄水を噴射する。なお、弁体４１の降下方向に付勢するバネを作用させると、弁体４１が降下する際の動作の確実性が増す。
【００３３】
円形の上部係合部４４および下部係合部４５を平面に引き伸ばしてその関係を示すと、図７のようになっており、洗浄ポンプ２６の運転と停止を繰り返すことで、上下方向の略直動と回転運動を組み合わせた動作をしながら弁体４１の位置は順次切換わる。本実施の形態では、４ヶ所の流出部３９に切換えるため、一回の停止と運転で弁体４１が９０度回転する構成であるが、任意数の分割が可能である。
【００３４】
なお、この上部係合部４４および下部係合部４５に関しては、本構成に限定するものではなく、洗浄ポンプ２６を断続的に運転する際に、洗浄ポンプ２６を運転中に所定の流出
部３９と弁体４１の開口部４２が一致すればよく、例えば、弁体４１の降下時にはほとんど回転せず、上昇時に約９０度回転したり、逆に、降下時に約９０度回転し、上昇時にはほとんど回転しない構成であってもよい。
【００３５】
また、三角形状の爪部形状ではなく、図８に示すように、溝部４６を軸部４７がならう構成でもよい。また、弁体４１の外周部に係合部を設けても同様の動作が得られる。
【００３６】
なお、図７に示した上部係合部４４および下部係合部４５の構成であれば、弁体４１は、流出部３９に対して回転しながら接触することはなく、接触面の摩耗はほとんどなく、耐摩耗性材料を使用したりする必要はなく、単なるＰＰやＰＯＭ等の一般的な樹脂成形品を使用することができる。
【００３７】
また、この構成によれば、残さいや爪楊枝等の異物を伴って流れる洗浄水を循環し、ケーシング４０と弁体４１との隙間に異物が入り込んだ場合でも、洗浄ポンプ２６を停止し、弁体４１が流出部３９から離れるように動作した際に、異物はその隙間から除去される。このため、隙間に異物が噛み込んで、弁体４１が移動不能となることはなく、確実に弁体４１の切換えが行える。
【００３８】
弁体４１は、図５の位置から、洗浄ポンプ２６の停止、運転により９０度ずつ回転するため、洗浄ポンプ２６を断続的に運転することで、図９に示したように、洗浄水が噴射する洗浄手段２７は２７ａ→２７ｂ→２７ａ→２７ｃの順で切換わる。これが、弁体４１が一周する切換えの１サイクルであり、この噴射パターンを繰り返しながら噴射し続ける。すなわち、１サイクルとは分水手段３７による洗浄手段２７の切換えが一巡することを言うのである。
【００３９】
これらの作用によって、同時に３ヶ所の洗浄手段２７に洗浄水を供給するのではなく、１個ないし２個の洗浄手段２７に、順次、洗浄水を送り込むため、給水量を増加させることなく、少ない水量で、任意の被洗浄物２３に対して複数方向から洗浄水を噴射させることができる。したがって、短時間で被洗浄物２３等に付着した汚染物を洗浄することができ、高効率な洗浄を実現することができる。
【００４０】
また、被洗浄物２３に対してより多方向から洗浄水を噴射することができるため、使用者は被洗浄物２３の食器かご２４へのセット位置や、縦置き、伏せ置き等のセット方法を選ぶことなく自由にセットできるため、よりセット性に優れた食器洗い機とすることができる。さらには、角鉢、深い小鉢、角皿等、単一方向からの噴射では洗浄水が十分行き届かなかった食器に対しても、十分な洗浄性能を発揮することができる。
【００４１】
さらに、洗浄手段２７ａからは１サイクル中で２回洗浄水を噴射するようになっており、洗浄手段２７ａからの噴射が当たる部分の洗浄力は他より２倍に高まり、この部位を集中的に洗浄できる。つまり、１サイクル中の洗浄手段２７からの噴射回数に差を付けることで、汚れの強弱に応じた最適な洗浄ができるため、この強の部分に、汚れのひどい食器類をセットするようにすれば、より効率的な洗浄が行える。
【００４２】
また、標準的に使用される食器では、ご飯粒がこびり付いている可能性のある茶碗２３Ａが最も洗浄しにくく、図１のように、食器かご２４の主に茶碗２３Ａをセットする位置に噴射する洗浄手段２７ａからの噴射回数をもっとも多くすることで、さらに洗浄効率は高まる。
【００４３】
つまり、洗浄手段２７より分水手段３７の分岐数の方が多い一回分を、特定の洗浄手段２７ａからの２回目の噴射とすることで、洗浄効率を高めている。
【００４４】
この場合、流出部３９および洗浄経路４３を任意に設定しておけば、単純に弁体４１は所定時間ごとに切換えるだけで、洗浄槽２２内に噴射の強弱をつけることができる。
【００４５】
なお、いずれの洗浄手段２７から複数回噴射するかを限定するものではなく、また、複数個の洗浄手段２７から複数回噴射される構成でも効果を発揮する。
【００４６】
また、多方向から洗浄水を噴射する場合、食器かご２４の下方に位置する洗浄手段２７ａ、２７ｂからの噴射は、被洗浄物２３との距離が短く、強力な洗浄ができるため、被洗浄物２３から汚れを剥離することに利用し、被洗浄物２３の上方に配置された洗浄手段２７ｃからの噴射は再付着粒子等を洗い流すことに利用するのが効果的な洗浄方法であり、下方から噴射する洗浄手段２７ａの噴射回数が最も多くなるようにすることで、よりエネルギを集中して強力に洗浄し、より短時間に汚れを落とすことができる。
【００４７】
また、洗浄効率が上がるということは、被洗浄物２３に付着した洗剤や残さいを短時間ですすぐことができるということでもあり、すすぎ回数を削減することが可能である。
【００４８】
例えば、すすぎ工程を４回行っていたものを３回に減少させることが可能である。一回の給水量を増加させることなく、しかも、すすぎ回数を削減できることから、ヒータを用いた洗浄水の加熱時間も短縮することができ、省エネ、節水をも実現することができる。
【００４９】
なお、１ヶ所の洗浄手段２７から噴射する時間は、数秒から数分程度で切換えれば、効率的な洗浄が行えるが、１回の洗浄ないしすすぎ工程中に、少なくとも１回はすべての洗浄手段２７から噴射されるように設定することが望ましい。したがって、１０秒から１分程度に設定すればよい。
【００５０】
また、工程の初めと終わりで切換え間隔を変えたり、洗浄とすすぎ工程で間隔を変えることもでき、すすぎ工程での切り替え間隔を長くすれば、洗浄ポンプ２６の断続運転回数を少なくでき、運転音の静音化や洗浄ポンプ２６のモータ寿命の延長につながる。
【００５１】
また、洗浄水を噴射する洗浄手段２７の切換えは、洗浄ポンプ２６の断続運転により行っており、３方弁や電動モータ等の電動駆動減を必要とせず、安価で、かつ、分水手段３７の小型化を提供できる。
【００５２】
また、モータ駆動の場合には、回転軸はケーシング４０を貫通して設置する必要があり、稠密なシール手段を設ける必要があり構造が複雑になると同時に、このシールが不良の場合には、製品外部に水漏れを起こす可能性を有していたが、本構成では、ケーシング４０を貫通して動作する部品は存在せず、外部に水漏れを起こす恐れはない。
【００５３】
図１０のように、弁体４１を駆動モータ５４で駆動するものであっても同様の効果が得られる。駆動モータ５４を連続的に駆動して切換える場合には、回転の中間位置で２個の洗浄手段２７から同時噴射する可能性もあるが、それは全ての洗浄手段２７にとって同条件であり、ちょうど開口部４２と流出部３９が一致した状態での噴射を状態で考えれば、前記した離散的に流出部３９を切換える場合と同様に、その噴射性能を判断できる。
【００５４】
なお、洗浄手段２７の個数や噴射パターンに限定するものではなく、被洗浄物２３の配置等に応じた種々の組み合わせが考えられ、効果を発揮できる。
【００５５】
例えば、図１１のように４個の洗浄手段２７を備え、洗浄槽の底面に２個（２７ａ、２７ｂ）、右天面に１個（２７ｃ）、左側面に１個（２７ｄ）設置した場合や、図１２のよ
うに洗浄槽の底面に２個（２７ａ、２７ｂ）、背面に２個（２７ｃ、２７ｄ）の洗浄手段を設置した場合、あるいは、図１３のように上下２段の食器かご２４を設け、その中間に２個の洗浄手段（２７ｃ、２７ｄ）を設けた場合などが考えられ、洗浄手段２７ａ→２７ａ→２７ｂ→２７ｃ→２７ｄ→などのパターンで噴射でき、いずれの場合も洗浄に強弱をつけることで、同様の効果が得られる。
【００５６】
洗浄手段２７の個数は、２ヶ所以上であれば効果を発揮するが、ある被洗浄物２３に対して２方向以上からの噴射が得られることが、洗浄性能を向上する上で重要であり、洗浄槽２２が略立方体形状の場合は２ヶ所以上、直方体形状の方形の場合には３ヶ所以上であることが望ましい。
【００５７】
逆に、分岐数が多すぎると、１個の洗浄手段２７から噴射される総水量が小さくなり洗浄効果が薄れることから１０ヶ所以下、好ましくは６ヶ所以下であることが望ましい。
【００５８】
また、洗浄ポンプ２６は、運転と停止を繰り返す構成としたが、インバータモータを使用した洗浄ポンプのように、ポンプの出力を可変できるものを使用する場合には、ポンプの出力の強弱を利用して弁体４１を切換えることも可能である。弱時の出力を、弁体４１が流出部３９から離れる出力以下にすれば切換え可能であり、ポンプの運転と停止の回数が減少することから、モータの寿命向上を図ることができるとともに、静音化にもつながる。
【００５９】
また、噴射する洗浄ノズル２７ごとに噴射の出力を可変することで、汚れの強弱に応じた任意の噴射を行うことも可能である。
【００６０】
なお、本発明は洗浄水の切換方式に関するものであり、食器洗い機本体２０の形状や大きさ、扉２１の開閉方式、被洗浄物２３の配置、個々の部品の配置等を限定するものではない。また、実施の形態１では、乾燥機能を有する食器洗い乾燥機の例を示したが、乾燥機能を伴わない食器洗い機においても同様の効果が得られる。
【００６１】
（実施の形態２）
図１４は、弁体４１の下側から見た図であり、弁体４１の開口部４２は弁体４１の外形部と連結した切り欠き形状とし、ケーシング４０からの流出部３９は略扇形状としている。なお、一対の上部係合部４４のケーシング４０側は、流出部３９の仕切り部がこれを兼用している。洗浄手段２７は、実施の形態１と同じ３ヶ所（２７ａ、２７ｂ、２７ｃ）、分水手段３７の分岐数は４ヵ所であり、４ヵ所の流出部３９のうち流出部３９ｂの流れは２つに分岐されて、洗浄手段２７ａと２７ｂの両方に同時に洗浄水を供給するようになっている。つまり、流出部３９ａと３９ｂの一部が洗浄手段２７ａに、流出部３９ｂの一部と３９ｃが洗浄手段２７ｂに、流出部３９ｄが洗浄手段２７ｃに各々接続されている。この他の基本構成は実施の形態１と同様である。
【００６２】
実施の形態１と同様に、洗浄ポンプ２６の運転と停止の動作により、弁体４１は９０度ずつ回転し、洗浄ポンプ２６が運転しているときの噴射パターンは図１５のようになり、切換えの１サイクル中に、各洗浄手段２７から単独で噴射し、さらに２個の洗浄手段２７ａ、２７ｂから同時噴射する工程を有する。２ヶ所同時噴射であっても、３ヶ所全部の洗浄手段２７から噴射する場合と比べて、水量は少なく済み、分水手段３７を用いることもメリットを発揮できる。
【００６３】
まず、全ての洗浄手段２７から単独で噴射することで、洗浄槽２２内の全体を高圧の噴射で強力に洗浄できる。これに加えて、２個の洗浄手段２７ａと２７ｂからの同時噴射を行うことで、多量の洗浄水を同時に噴射でき、一度に広範囲を洗い流すことができるため
、強力噴射で順次汚れを剥離し、再付着等を広範囲に洗い流し、再び、強力洗浄を行うというサイクルを繰り返すことで、より効率的な洗浄が行える。
【００６４】
各洗浄手段２７からの噴射回数は、２７ａ、２７ｂ、２７ｃの順に２回、２回１回であるが、同時噴射の工程がなければ、同じ噴射回数を得るためには５回の切換えが必要である。このため、１回切換え回数が少なく済むことから、洗浄効率が向上し、時間短縮等が図れる。
【００６５】
つまり、洗浄手段２７より分水手段３７の分岐数の方が多い一回分を、２個の洗浄手段２７ａ、２７ｂからの同時噴射とすることで、洗浄効率を高めている。
【００６６】
（実施の形態３）
図１６は、分水手段３７を別の構成としたものであり、弁体４１の下側から見た図である。洗浄手段２７は、実施の形態１と同じ３ヶ所（２７ａ、２７ｂ、２７ｃ）、分水手段３７の分岐数は４ヵ所であり、流出部３９ａ、３９ｂ、３９ｃは各々洗浄手段２７ａ、２７ｂ、２７ｃに接続されている。また、流出部３９ｄは、いずれの洗浄手段２７にも連結されておらず、実質は存在しないが、上部係合部４４としての凹凸だけは形成されている。
【００６７】
また、弁体４１の外周部には３ヶ所の突出部５５があり、ケーシング４０の上面（弁体との接触面）にも３ヶ所の凸部５６が形成されており、開口部４２が流出部３９ｄの位置にきた時には、突出部５５と凸部５６の位置が一致して、洗浄ポンプ２６を運転した状態でも、図１７のように弁体４１はケーシング４０の上面に接触しない状態で停止するようになっている。この他の基本構成は実施の形態１と同様である。
【００６８】
実施の形態１と同様に、洗浄ポンプ２６の運転と停止の動作により、弁体４１は９０度ずつ回転し、個々の洗浄手段２７から順次洗浄水を噴射するが、流出部３９ｄの位置では、図１７のように、弁体４１が流出部３９に密着しないため、洗浄水は全ての流出部３９に供給され、全ての洗浄手段２７から同時に噴射される。つまり、噴射パターンは図１８のようになり、洗浄手段２７ａ→２７ｂ→２７ｃ→全て→となる。
【００６９】
単独の洗浄手段２７から順次洗浄水を噴射することで、より噴射圧を高めることができ、全ての洗浄手段２７からこの強力な噴射を行うことで、洗浄槽２２内の全体を強力に洗浄できる。これに加えて、全ての洗浄手段２７からの同時噴射を行うことで、多量の洗浄水を同時に噴射でき、一度に広範囲を洗い流すことができるため、強力噴射で順次汚れを剥離し、再付着等を広範囲に洗い流し、再び、強力洗浄を行うというサイクルを繰り返すことで、より効率的な洗浄が行える。
【００７０】
つまり、洗浄手段２７より分水手段３７の分岐数の方が多い一回分を、全ての洗浄手段からの同時噴射とすることで、洗浄効率を高めている。
【００７１】
（実施の形態４）
図１９は、分水手段３７を別の構成としたものであり、弁体４１の下側から見た図である。洗浄手段２７は、実施の形態１と同じ３ヶ所（２７ａ、２７ｂ、２７ｃ）、分水手段３７の分岐数は４ヵ所であり、流出部３９ａと３９ｂは連結されて一個の洗浄手段２７ａに接続されている。また、弁体４１の開口部４２は、２個の流出部３９を同時に開口するようになっている。
【００７２】
弁体４１を順次切換えた場合の噴射パターンは、図２０に示したようになり、洗浄手段２７は、２７ａ（底面左）→２７ａと２７ｂ（底面右）→２７ｂと２７ｃ（背面）→２７
ｃと２７ａの順で切換わる。これが、弁体４１が一周する切換えの１サイクルであり、この噴射パターンを繰り返しながら洗浄する。
【００７３】
基本は、２個の洗浄手段２７からの同時噴射であり、１個噴射の場合と比べて、やや水量は増加するものの、全ての洗浄手段２７から同時に噴射する場合と比べると、少ない水量で、より広範囲に強力な洗浄を行うことができる。
【００７４】
また、これに加えて、１個の洗浄手段２７ａから単独で高圧噴射する工程があり、洗浄槽２２内に高い噴射圧で強力に洗浄する部位と、大流量で広範囲に洗い流す部位とを設け、汚れに応じた最適な洗浄が行うことで、洗浄効率が向上し、さらなる運転時間の短縮等が図れる。また、１サイクル中の噴射回数も、洗浄手段２７ａからは３回、２７ｂからは２回、２７ｃからは２回と異なっており、２７ａからの噴射回数が最も多くなっている。
【００７５】
このため、洗浄手段２７ａの上方に汚れのひどい被洗浄物２３をセットするようにすれば、より効率的な洗浄が行える。また、標準的に使用される食器では、ご飯粒がこびり付いている可能性のある茶碗２３Ａが最も洗浄しにくく、図１のように、食器かご２４の主に茶碗２３Ａをセットする位置を２７ａの上方に配置することで、洗浄効率を高めることができる。
【００７６】
つまり、洗浄手段２７より分水手段３７の分岐数の方が多い一回分を、単独の洗浄手段２７ａから高圧噴射とすることで、洗浄効率を高めている。
【００７７】
また、図２１は、弁体４１の開口部４２が２個の流出部を開口する場合の別の例であり、この場合、図２２の噴射パターンが得られる。洗浄手段２７ａ、２７ｂからの単独噴射と２ヵ所からの同時噴射が混合されたパターンであり、洗浄かご２４の下方からの噴射に重点を置いた噴射としている。
【図面の簡単な説明】
【００７８】
【図１】本発明の実施の形態１の食器洗い機の要部断面図
【図２】同食器洗い機の要部断面図
【図３】同食器洗い機の分水手段の洗浄ポンプ運転状態での断面図
【図４】同食器洗い機の分水手段の分解斜視図
【図５】同食器洗い機の分水手段の弁体の下面図
【図６】同食器洗い機の分水手段の洗浄ポンプ停止状態での断面図
【図７】同食器洗い機の分水手段の係合部の詳細図
【図８】同食器洗い機の分水手段の他の係合部の詳細図
【図９】同食器洗い機の各洗浄手段からの噴射のパターン図
【図１０】同食器洗い機の他の分水手段の断面図
【図１１】同実施の形態１の他の食器洗い機の要部断面図
【図１２】同他の食器洗い機の要部断面図
【図１３】同他の食器洗い機の要部断面図
【図１４】本発明の実施の形態２の食器洗い機の分水手段の概略図
【図１５】同食器洗い機の各洗浄手段からの噴射のパターン図
【図１６】本発明の実施の形態３の食器洗い機の分水手段の概略図
【図１７】同食器洗い機の分水手段の断面図
【図１８】同食器洗い機の各洗浄手段からの噴射のパターン図
【図１９】本発明の実施の形態４の食器洗い機の分水手段の概略図
【図２０】同食器洗い機の各洗浄手段からの噴射のパターン図
【図２１】同食器洗い機の他の分水手段の概略図
【図２２】同食器洗い機の各洗浄手段からの噴射のパターン図
【図２３】従来の食器洗い機の要部断面図
【図２４】同食器洗い機の分水手段の断面図
【符号の説明】
【００７９】
２６  洗浄ポンプ
２７  洗浄ノズル（洗浄手段）
３７  分水手段
３８  流入部
３９  流出部
４０  ケーシング
４１  弁体
４２  開口部
４３  洗浄経路
４４  上部係合部（係合部）
４５  下部係合部（係合部）
【図１】
0004215060.tif 000002
【図２】
0004215060.tif 000003
【図３】
0004215060.tif 000004
【図４】
0004215060.tif 000005
【図５】
0004215060.tif 000006
【図６】
0004215060.tif 000007
【図７】
0004215060.tif 000008
【図８】
0004215060.tif 000009
【図９】
0004215060.tif 000010
【図１０】
0004215060.tif 000011
【図１１】
0004215060.tif 000012
【図１２】
0004215060.tif 000013
【図１３】
0004215060.tif 000014
【図１４】
0004215060.tif 000015
【図１５】
0004215060.tif 000016
【図１６】
0004215060.tif 000017
【図１７】
0004215060.tif 000018
【図１８】
0004215060.tif 000019
【図１９】
0004215060.tif 000020
【図２０】
0004215060.tif 000021
【図２１】
0004215060.tif 000022
【図２２】
0004215060.tif 000023
【図２３】
0004215060.tif 000024
【図２４】
0004215060.tif 000025